【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
メモリーと処理ユニットとを含む計算デバイスにおいて、地図ナビゲーションのために地図ビューをレンダリングする方法であって、前記計算デバイスによって、
第１ビューア位置を判定するステップであって、前記第１ビューア位置が３Ｄ空間におけるビュー高度と関連付けられる、ステップと、
前記３Ｄ空間において第１メタデーター高度を有する第１地図メタデーター・エレメントを判定するステップであって、前記第１地図メタデーター・エレメントが地図の第１特徴と関連付けられる、ステップと、  
前記３Ｄ空間における第２のメタデーター高度を有する第２地図メタデーター・エレメントを判定するステップであって、前記第２地図メタデーター・エレメントが前記地図の第２特徴と関連付けられ、前記第２メタデーター高度が前記第１メタデーター高度とは異なる、ステップと、
前記第１ビューア位置と、前記地図の表面レイヤーより上の前記３Ｄ空間の異なるメタデーター高度における前記第１および第２の地図メタデーター・エレメントのレイヤリングとに少なくとも部分的に基づいて、表示のために、前記地図の第1ビューをレンダリングするステップであって、前記表面レイヤーが、前記地図の前記第１と第２の特徴に関する図形的詳細を含み、前記第１と第２の地図メタデーター・エレメントが、前記地図の前記第１ビューにおける前記地図の前記第１と第２の特徴をマーキングし、前記第１ビューのレンダリングが、前記３Ｄ空間における前記第１および第２の地図メタデーター・エレメントの異なるメタデーター高度に対する前記ビュー高度の関係に少なくとも部分的に依存する、ステップと、
ビューア位置の変化を示す入力に少なくとも部分的に基づいて、第２ビューア位置を判定するステップと、
前記第２ビューア位置と、前記地図の前記表面レイヤーより上の前記３Ｄ空間の前記異なるメタデーター高度における前記第１および第２の地図メタデーター・エレメントのレイヤリングとに少なくとも部分的に基づいて、表示のために、前記地図の第２ビューをレンダリングするステップであって、前記第１と第２の地図メタデーター・エレメントが、前記地図の前記第２ビューにおける前記地図の前記第１と第２の特徴をマーキングし、前記第２ビューのレンダリングが、前記３Ｄ空間における前記第１および第２の地図メタデーター・エレメントの前記異なるメタデーター高度に対する前記第２ビューア位置のビュー高度の関係に少なくとも部分的に依存する、ステップと、
前記第１ビューおよび前記第２ビューが、前記地図のトップ−ダウン・ビューであり、前記第１ビューと前記第２ビューとにおいて、前記第１地図メタデーター・エレメントと前記第２地図メタデーター・エレメントとが、前記３Ｄ空間において前記地図の前記表面レイヤーに対して平行な向きにレンダリングされ、前記第１ビューと比較すると、前記第２ビューにおいて、示差効果のために、前記３Ｄ空間における前記第１ビューア位置と前記第２ビューア位置との間の地理的位置の変化を考慮するために、前記第１地図メタデーター・エレメントが、前記第２地図メタデーター・エレメントとは異なる距離だけ変位され、前記第１と第２の地図メタデーター・エレメントが、前記第１と第２の地図メタデーター・エレメントが、前記３Ｄ空間においてそれぞれマーキングした前記第１と第２の特徴より上の位置に留まるが、前記第１ビューと第２ビューとの間において動くように現れ、
第３ビューア位置を判定するステップと、
前記第３ビューア位置に少なくとも部分的に基づいて、表示のために、前記地図の第３ビューをレンダリングするステップであって、前記第３ビューのレンダリングが、前記３Ｄ空間における前記第１および第２の地図メタデーター・エレメントの前記異なるメタデーター高度に対する前記第３ビューア位置のビュー高度の関係に少なくとも部分的に依存し、前記第３ビューが、前記地図の鳥瞰図であり、前記鳥瞰図において、前記第１地図メタデーター・エレメントが、前記３Ｄ空間において前記地図の前記表面レイヤーに対して垂直な向きにレンダリングされる、ステップと、
を含む、方法。
【請求項２】
請求項１記載の方法において、前記第１および第２の地図メタデーター・エレメントが、それぞれ、前記地図上における前記第１および第２の特徴についてのタイトル、距離、および詳細のうち１つ以上を示す地図メタデーター・テキスト・ラベルである、方法。
【請求項３】
請求項１記載の方法において、前記地図の第１ビューをレンダリングするステップが、
前記３Ｄ空間において、前記第１および第２の特徴の上に、それぞれ、前記第１および第２の地図メタデーター・エレメントを置くステップであって、前記第１および第２の地図メタデーター・エレメントが、前記第１および第２の地図メタデーター・エレメントのそれぞれのメタデーター高度に置かれる、ステップと、
前記表面レイヤーのポイントならびに前記第１ビューア位置から見える前記第１および第２の地図メタデーター・エレメントのポイントから、前記地図の前記第１ビューを作るステップと、
を含む、方法。
【請求項４】
請求項３記載の方法において、前記地図の第１ビューをレンダリングするステップが、更に、
前記置くステップの前に、メタデーター高度に詳細レベル制御パラメーターとして少なくとも部分的に基づいて、どの地図メタデーター・エレメントをレンダリングすべきか判定するステップと、
前記置くステップの一部として、前記３Ｄ空間における前記第１および第２の地図メタデーター・エレメントのそれぞれのメタデーター高度に対する、前記ビュー高度の関係に少なくとも部分的に依存して、前記第１および第２の地図メタデーター・エレメントにそれぞれ分解能を指定するステップと、
を含み、
前記表面レイヤーのどのポイントが見えるか、ならびに前記第１および第２の地図メタデーター・エレメントのどのポイントが見えるかの判定が、前記第１ビューア位置の視点に依存する、方法。
【請求項５】
請求項１記載の方法において、前記鳥瞰図において、前記第２地図メタデーター・エレメントが、前記３Ｄ空間において前記表面レイヤーに対して平行な向きで、前記鳥瞰図に対する前記第３ビューア位置よりも上にレンダリングされる、方法。
【請求項６】
請求項１記載の方法であって、更に、前記計算デバイスによって、
表示のために、前記地図の第１特徴の写真ビューを、前記第１特徴に関するテキスト詳細と共にレンダリングするステップであって、前記写真ビューの一部のサンプル値が、前記写真ビュー内において前記第１特徴を強調するために変更される、ステップを含む、方法。
【請求項７】
請求項１記載の方法であって、更に、前記計算デバイスによって、
前記第１ビューア位置と前記第２ビューア位置との間の１つ以上の新たなビューア位置の各々に対して、
前記新たなビューア位置を判定するステップと、
前記新たなビューア位置と、前記３Ｄ空間の前記異なるメタデーター高度における前記第１および第２の地図メタデーター・エレメントのレイヤリングとに少なくとも部分的に基づいて、表示のために、前記地図の新たなビューをレンダリングするステップであって、前記新たなビューのレンダリングが、前記３Ｄ空間における前記第１および第２の地図メタデーター・エレメントの異なるメタデーター高度に対する前記新たな第３ビューア位置のビュー高度の関係に少なくとも部分的に依存する、ステップと、
を含む、方法。
【請求項８】
請求項７記載の方法において、前記１つ以上の新たなビューが、前記地図のトップ−ダウン・ビューであり、前記第１地図メタデーター・エレメントが、地図メタデーター・テキスト・ラベルであり、
前記ビューア位置の前記ビュー高度が低下し前記３Ｄ空間におけるターゲット高度またはターゲット距離に近づくに連れて、前記ラベルがビュー毎に徐々に大きくそして濃くなり、
前記ビューア位置の前記ビュー高度が更に低下して前記３Ｄ空間における前記ターゲット高度よりも低くなると、またはターゲット距離よりも短くなると、前記ラベルがビュー毎に徐々に大きくなるが薄くなっていく、方法。
【請求項９】
請求項７記載の方法において、前記第１地図メタデーター・エレメントが、地図メタデーター・テキスト・ラベルであり、
前記ビューア位置の前記ビュー高度が低下して、前記３Ｄ空間における前記ラベルと関連した前記メタデーター高度に近づくに連れて、前記ラベルがビュー毎に回転し、
前記３Ｄ空間において前記ラベルと関連した前記メタデーター高度において、前記ラベルがビュー間で反転する、方法。
【請求項１０】
コンピューター実行可能命令を格納する１つ以上のコンピューター読み取り可能記憶媒体であって、前記命令によってプログラミングされたサーバー計算デバイスに、地図ナビゲーションを容易にする方法を実行させ、前記１つ以上のコンピューター読み取り可能記憶媒体が、光ディスク媒体、揮発性メモリー・コンポーネントおよび不揮発性メモリー・コンポーネントの内の少なくとも１つを含み、前記方法が、前記サーバー計算デバイスによって、
クライアント計算デバイスから、地図情報の要求を受けるステップであって、前記要求が１つ以上のサーチ・タームを含む、ステップと、
前記１つ以上のサーチ・タームに対するサーチ結果に少なくとも部分的に基づいて、更にメタデーター高度に前記サーチ結果に関する詳細レベル制御パラメーターとして少なくとも部分的に基づいて、前記３Ｄ空間において異なるメタデーター高度を有する第１および第２の地図メタデーター・エレメントを判定するステップであって、前記第１地図メタデーター・エレメントが、地図の第１特徴と関連付けられ、前記第２地図メタデーター・エレメントが、前記地図の第２特徴と関連付けられ、前記第１および第２の地図メタデーター・エレメントが、それぞれのメタデーター高度にしたがって前記３Ｄ空間においてレイヤリングされた前記第１および第２の地図メタデーター・エレメントの前記異なるメタデーター高度に対する、ビューア位置のビュー高度の関係に少なくとも部分的に依存して、前記地図のビューをレンダリングするために使用可能である、ステップと、
前記クライアント計算デバイスに、前記第１および第２の地図メタデーター・エレメントを送るステップと、
を含む、１つ以上のコンピューター読み取り可能記憶媒体。
【請求項１１】
請求項１０記載の１つ以上のコンピューター読み取り可能記憶媒体において、前記要求が第１要求であり、前記ビューア位置が第１ビューア位置であり、前記方法が、更に、前記サーバー計算デバイスによって、
前記クライアント計算デバイスから、前記地図についての地図情報の第２要求を受けるステップと、
１つ以上の追加の地図メタデーター・エレメントを判定するステップと、
前記クライアント計算デバイスに、前記１つ以上の追加の地図メタデーター・エレメントを送るステップと、
を含む、１つ以上のコンピューター読み取り可能記憶媒体。
【請求項１２】
処理ユニットと、ディスプレイと、メモリーと、ストレージとを含む計算デバイスであって、前記ストレージが、３Ｄ空間における異なるメタデーター高度においてレイヤリングされた地図メタデーター・エレメントを使用して、地図のビューをレンダリングする方法を前記計算デバイスに実行させるコンピューター実行可能命令を格納し、前記地図メタデーター・エレメントの個々のエレメントが、前記地図の個々の特徴と関連付けられており、前記方法が、
前記３Ｄ空間における第１メタデーター高度と関連した第１地図メタデーター・エレメントを判定するステップであって、前記第１地図メタデーター・エレメントが、地図の第１特徴と関連付けられた、ステップと、
前記３Ｄ空間において第２メタデーター高度を有する第２地図メタデーター・エレメントを判定するステップであって、前記第２地図メタデーター・エレメントが、前記地図の第２特徴と関連付けられており、前記第２メタデーター構造が前記第１メタデーター高度とは異なる、ステップと、
初期ビューア位置と最終目標ビューア位置との間にある１つ以上のビューア位置の各々について、
前記ビューア位置を判定するステップであって、前記ビューア位置が前記３Ｄ空間におけるビュー高度と関連付けられた、ステップと、
表示のために、前記ビューア位置と、前記異なるメタデーター高度における前記３Ｄ空間内での前記第１および第２の地図メタデーター・エレメントのレイヤリングとに少なくとも部分的に基づいて、前記地図のビューをレンダリングするステップであって、前記第１および第２の地図メタデーター・エレメントが、それぞれ、前記第１および第２の地図メタデーター・エレメントについて示される前記メタデーター高度において、それぞれ、前記３Ｄ空間における前記第１および第２の特徴の上に置かれる、ステップと、
を含み、
前記ビューをレンダリングするステップが、表面レイヤーのポイント、および前記ビューア位置から見ることができる前記第１および第２の地図メタデーター・エレメントのポイントから前記地図の前記ビューを作るステップを含み、前記表面レイヤーのどのポイントが見えるかに、および前記第１および第２の地図メタデーター・エレメントのどのポイントが見えるかについての判定が、前記ビューア位置の視線に依存し、
前記第１地図メタデーター・エレメントが、地図メタデーター・テキスト・ラベルであり、 
前記ビューア位置の前記ビュー高度が低下し前記３Ｄ空間におけるターゲット高度またはターゲット距離に近づくに連れて、前記ラベルがビュー毎に大きくかつ濃くなり、
前記ビューア位置の前記ビュー高度が更に低下して前記３Ｄ空間における前記ターゲット高度またはターゲット距離未満になると、前記ラベルがビュー毎に大きくなるが薄くなる、計算デバイス。